(57)【特許請求の範囲】
【請求項１】
データの送信先を示す送信先情報を記憶する記憶部と、
情報を表示する表示部と、
外部装置と通信可能に接続される通信部と、
前記表示部が前記送信先情報を表示するときに、前記送信先情報に基づく送信先文字列に置換対象文字列が含まれているか否かを判断し、前記置換対象文字列が含まれていると判断された場合に、前記置換対象文字列を予め決められた記号列に置き換えて前記表示部に表示させる表示情報変換部と
を備え、
前記置換対象文字列は、前記データの送信先の装置を識別する識別情報であることを特徴とするデータ送信装置。
【請求項２】
前記記号列は、前記置換対象文字列とは異なる予め定められた新たな文字列であることを特徴とする請求項１に記載のデータ送信装置。
【請求項３】
前記表示情報変換部は、前記送信先情報を示す送信先文字列に置換対象文字列が含まれているか否かの判断の結果、前記置換対象文字列が含まれていないと判断された場合に、前記送信先文字列を前記表示部に表示させることを特徴とする請求項１又は２に記載のデータ送信装置。
【請求項４】
前記置換対象文字列は、前記送信先文字列の中の送信先を特定する文字列の部分であることを特徴とする請求項１から３までのいずれか１項に記載のデータ送信装置。
【請求項５】
前記置換対象文字列は、対を成す所定の文字の間、対を成す所定の文字列の間、及び所定の文字と所定の文字列との間、のうちのいずれかに挟まれた文字列であることを特徴とする請求項１から４までのいずれか１項に記載のデータ送信装置。
【請求項６】
前記置換対象文字列は、前記送信先のコンピュータ名及びＩＰアドレスのうちの少なくとも一方を含むことを特徴とする請求項１から５までのいずれか１項に記載のデータ送信装置。
【請求項７】
前記表示情報変換部は、前記予め決められた記号列の文字数を、前記置換対象文字列の文字数と同じにすることを特徴とする請求項１から６までのいずれか１項に記載のデータ送信装置。
【請求項８】
前記表示情報変換部は、前記予め決められた記号列の文字数を、前記置換対象文字列の文字数より少なくすることを特徴とする請求項１から６までのいずれか１項に記載のデータ送信装置。
【請求項９】
前記表示情報変換部は、前記送信先文字列に前記置換対象文字列が含まれていると判断した場合に、前記表示部に前記送信先情報を表示する目的を判断し、当該目的に応じて、前記予め決められた記号列の文字数を前記置換対象文字列の文字数と同じにするか、前記予め決められた記号列の文字数を前記置換対象文字列の文字数より少なくするかを選択し、当該選択された文字数の予め決められた記号列で、前記置換対象文字列を置き換えること
を特徴とする請求項１から６のいずれか１項に記載のデータ送信装置。
【請求項１０】
前記表示情報変換部は、
前記目的が編集の場合に、前記予め決められた記号列の文字数を前記置換対象文字列の文字数と同じにし、
前記目的が参照の場合に、前記予め決められた記号列の文字数を前記置換対象文字列の文字数より少なくすること、
を特徴とする請求項９に記載のデータ送信装置。
【請求項１１】
前記表示情報変換部は、前記送信先文字列における、前記置換対象文字列以外の文字列は、前記表示部にそのまま表示することを特徴とする請求項１から１０までのいずれか１項に記載のデータ送信装置。
【請求項１２】
前記送信先を選択する操作を行う操作部を含む操作パネル部をさらに備え、
前記表示部は、前記操作パネル部に備えられている
ことを特徴とする請求項１から１１までのいずれか１項に記載のデータ送信装置。
【請求項１３】
命令の入力を受け付ける操作部をさらに備え、
前記操作部が、前記予め定められた記号列に該当する何れかの文字を削除する命令の入力を受け付けた場合に、前記表示部は、前記予め定められた文字列に該当する全ての文字を一括して削除すること
を特徴とする請求項１から１２の何れか一項に記載のデータ送信装置。
【請求項１４】
データの送信先を示す送信先情報を記憶する記憶部と、情報を表示する表示部と、外部装置と通信可能に接続される通信部とを備えた装置における、データ送信方法であって、
前記送信先情報に基づいて、前記表示部に送信先情報を表示するステップと、
前記表示された送信先情報のうちの選択された情報に基づく送信先にデータを送信するステップと
を有し、
前記送信先情報を表示する前記ステップにおいて、前記送信先情報に基づく送信先文字列に置換対象文字列が含まれているか否かを判断し、前記置換対象文字列が含まれていると判断された場合に、前記置換対象文字列を予め決められた記号列に置き換えて前記表示部に表示させ、
前記置換対象文字列は、前記データの送信先の装置を識別する識別情報であることを特徴とするデータ送信方法。
【請求項１５】
前記記号列は、前記置換対象文字列とは異なる予め定められた新たな文字列であることを特徴とする請求項１４に記載のデータ送信方法。
【請求項１６】
前記送信先情報を示す送信先文字列に置換対象文字列が含まれているか否かの判断の結果、前記置換対象文字列が含まれていないと判断された場合に、前記送信先文字列を前記表示部に表示させることを特徴とする請求項１４又は１５に記載のデータ送信方法。
【請求項１７】
前記送信先情報を表示する前記ステップにおいて、前記送信先文字列に前記置換対象文字列が含まれていると判断された場合に、前記表示部に前記送信先情報を表示する目的が判断され、当該目的に応じて、前記予め決められた記号列の文字数を前記置換対象文字列の文字数と同じにするか、前記予め決められた記号列の文字数を前記置換対象文字列の文字数より少なくするかが選択され、当該選択された文字数の予め決められた記号列で、前記置換対象文字列が置換えられること
を特徴とする請求項１４から１６のいずれか１項に記載のデータ送信方法。
【請求項１８】
前記送信先情報を表示する前記ステップにおいて、
前記目的が編集の場合に、前記予め決められた記号列の文字数が前記置換対象文字列の文字数と同じにされ、
前記目的が参照の場合に、前記予め決められた記号列の文字数が前記置換対象文字列の文字数より少なくされること
を特徴とする請求項１７に記載のデータ送信方法。
【請求項１９】
命令の入力を受け付けるステップと、
前記命令の入力を受け付ける前記ステップにおいて、前記予め定められた記号列に該当する何れかの文字を削除する命令の入力が受け付けられた場合に、前記表示部において、前記予め定められた文字列に該当する全ての文字が一括して削除されるステップと、をさらに有すること
を特徴とする請求項１４から１８の何れか一項に記載のデータ送信方法。
【発明の詳細な説明】
【技術分野】
【０００１】
本発明は、記憶部が記憶している送信先情報に基づく送信先にデータを送信するデータ送信装置及びデータ送信方法に関するものである。
【背景技術】
【０００２】
一般に、データ送信装置であるファクシミリ装置は、情報の表示と利用者による操作とを行うことができる操作パネル部を備えている。データ送信に際しては、操作パネル部に、予め記憶部に記憶されている送信先情報に基づく複数の送信先が表示され、利用者は、操作パネル部を操作して送信先を選択する。送信先情報は、例えば、短縮ダイヤル番号ごとにＩＰアドレスとポート番号を登録した情報である（例えば、特許文献１参照）。データ送信装置は、例えば、選択された短縮ダイヤル番号に対応するＩＰアドレスを持つ装置に対して、ファクシミリ送信を行う。
【０００３】
また、近年、画像データを蓄積しておく記憶部を備えたサーバ機能付きのファクシミリ装置もある。ネットワークに接続されているＰＣは、アクセス制限情報であるＩＰアドレスを指定し、このＩＰアドレスを持つファクシミリ装置にアクセスし、このファクシミリ装置の記憶部に蓄積されている画像データを利用することができる。
【先行技術文献】
【非特許文献】
【０００４】
【特許文献１】特開２００５−８６３１４号公報
【発明の概要】
【発明が解決しようとする課題】
【０００５】
しかしながら、上記従来のファクシミリ装置においては、記憶部に記憶されている送信先情報にＩＰアドレスなどの個人情報が含まれており、利用者が操作パネル部で送信先を確認するときに、送信先文字列として個人情報がそのまま表示されるというセキュリティ（機密性）上の問題があった。
【０００６】
また、上記従来のサーバ機能付きファクシミリ装置においても、ネットワークに接続されているＰＣに、画像データの送信先ＩＰアドレスなどの個人情報がそのまま表示されるというセキュリティ上の問題があった。
【０００７】
そこで、本発明は、上記従来技術の課題を解決するためになされたものであり、その目的は、送信対象のデータに関する個人情報がそのまま表示されないデータ送信装置及びデータ送信方法を提供することにある。
【課題を解決するための手段】
【０００８】
本発明の一態様に係るデータ送信装置は、データの送信先を示す送信先情報を記憶する記憶部と、情報を表示する表示部と、外部装置と通信可能に接続される通信部と、前記表示部が前記送信先情報を表示するときに、前記送信先情報に基づく送信先文字列に置換対象文字列が含まれているか否かを判断し、前記置換対象文字列が含まれていると判断された場合に、前記置換対象文字列を予め決められた記号列に置き換えて前記表示部に表示させる表示情報変換部とを備え、前記置換対象文字列は、前記データの送信先の装置を識別する識別情報であることを特徴としている。
【０００９】
本発明の他の態様に係るデータ送信方法は、データの送信先を示す送信先情報を記憶する記憶部と、情報を表示する表示部と、外部装置と通信可能に接続される通信部とを備えた装置における、データ送信方法であって、前記送信先情報に基づいて、前記表示部に送信先情報を表示するステップと、前記表示された送信先情報のうちの選択された情報に基づく送信先にデータを送信するステップとを有し、前記送信先情報を表示する前記ステップにおいて、前記送信先情報に基づく送信先文字列に置換対象文字列が含まれているか否かを判断し、前記置換対象文字列が含まれていると判断された場合に、前記置換対象文字列を予め決められた記号列に置き換えて前記表示部に表示させ、前記置換対象文字列は、前記データの送信先の装置を識別する識別情報であることを特徴としている。
【発明の効果】
【００１０】
本発明に係るデータ送信装置及びデータ送信方法によれば、送信対象のデータに関する個人情報がそのまま表示されないようにしているので、個人情報の漏洩を防止することができるという効果がある。
【図面の簡単な説明】
【００１１】
【図１】第１及び第２の実施形態に係るデータ送信装置としての画像処理装置の外観を概略的に斜視図である。
【図２】第１の実施形態に係るデータ送信装置としての画像処理装置の構成を概略的に示すブロック図である。
【図３】第１の実施形態における送信先情報の一例を示す図である。
【図４】（ａ）〜（ｄ）は、第１の実施形態における操作パネル部の表示例を示す図である。
【図５】第１の実施形態における送信先情報の表示動作を示すフローチャートである。
【図６】第２の実施形態に係るデータ送信装置としての画像処理装置の構成を概略的に示すブロック図である。
【図７】第２の実施形態における送信先情報の一例を示す図である。
【図８】（ａ）〜（ｄ）は、第２の実施形態における操作パネル部の表示例を示す図である。
【図９】第２の実施形態における送信先リスト画面の表示動作を示すフローチャートである。
【図１０】第２の実施形態における送信先情報の表示動作を示すフローチャートである。
【図１１】第３の実施形態に係るデータ生成装置を含むＰＣの構成を概略的に示すブロック図である。
【発明を実施するための形態】
【００１２】
《１》第１の実施形態
《１−１》第１の実施形態の構成
図１は、第１の実施形態に係るデータ送信装置としての画像処理装置１の外観を概略的に斜視図である。図１に示されるように、画像処理装置１は、ファクシミリ機能、複写機能、及びスキャナ機能を備えた複合機（ＭＦＰ）である。ただし、画像処理装置１は、ＭＦＰに限定されず、ファクシミリ装置、複写機、スキャナ装置などのような、通信機能を有する他の情報処理装置であってもよい。
【００１３】
図１に示されるように、画像処理装置１は、原稿画像を光学的に読み取る原稿読取部（原稿読取ユニット）１１と、記録媒体（例えば、用紙）上に画像を形成する印刷部（画像形成ユニット）１２と、利用者によって操作される操作パネル部（操作ユニット）１３と、通信回線（例えば、電話回線又はＬＡＮなどのネットワーク）を介して外部との通信を行う通信部（通信ユニット）１４とを有している。なお、図１において、１４ａは、電話回線に接続するための電話端子であり、１４ｂは、イーサネット（登録商標）などのネットワークに接続するためのネットワーク端子である。
【００１４】
図２は、第１の実施形態に係るデータ送信装置（第１の実施形態に係るデータ送信方法を実行することができる装置）としての画像処理装置１の構成を概略的に示すブロック図である。画像処理装置１は、原稿読取部１１と、印刷部１２と、操作パネル部１３と、通信部１４と、装置管理部１５と、画像処理部１６と、記憶部１７と、表示情報変換部１８と、これらの各部を接続するためのバス１０とを有している。
【００１５】
原稿読取部１１は、例えば、ＣＣＤなどの読み取りセンサを用いたスキャナ部を含み、例えば、プラテンガラス上に載置された原稿又は自動給紙装置（ＡＤＦ）によって移動する原稿の画像を光学的に読み取って電気信号に変換し、電気信号に基づく画像データを生成する。
【００１６】
印刷部１２は、例えば、電子写真方式などのプリンタ部であり、原稿読取部１１によって生成された画像データ、又は、通信回線を経由して通信部１４によって受信されたデータに基づく画像を記録媒体上に形成（印刷）する。
【００１７】
操作パネル部１３は、利用者による操作が行われる手段の一例であり、例えば、画像処理条件の各種設定又は装置の状態などを表示する表示部１３ａと、装置への命令を入力するための操作部１３ｂとを備えている。表示部１３ａは、利用者への指示や情報を出力するための、例えば、ＬＣＤを備えるタッチパネルなどの表示デバイスである。操作部１３ｂは、利用者からの指示や情報を入力するためのタッチパネルやキーボードなどの入力デバイスである。
【００１８】
通信部１４は、外部装置とのデータの送受信を行い、ＬＡＮ端子やＵＳＢなどのネットワーク端子１４ｂと、アナログ通信回線網などのような電話回線に接続するための電話端子１４ａとを有している。通信部１４はネットワーク端子１４ｂを備えているので、データ送信装置１に記憶されているデータを、ネットワークに接続されたＰＣとの間で、共有することができ、また、ＰＣからの指示を受け付けることができる。
【００１９】
装置管理部１５は、画像処理装置１の各部の動作及び画像処理装置１全体の状況を統括管理し、制御信号を出力して画像処理装置１内で発生する各種イベントに対する実行管理を行う。
【００２０】
画像処理部１６は、原稿読取部１１で生成された原稿データ及び上位機器から受信した印刷情報などの画像データを、出力手段に合わせて加工する。例えば、画像処理部１６は、出力手段が印刷部１２であるならば印刷用データを生成し、出力手段が通信部１４であるならばファクシミリ送信用データを生成する。
【００２１】
記憶部１７は、画像処理装置１に関する各種の情報を保存するメモリブロックであり、記憶されている情報には、データの送信先情報Ａ１１及び表示部１３ａ（又は、ネットワークを介して接続されたＰＣなどの外部装置の表示部）に表示する画面表示情報Ａ１２が含まれる。また、記憶部１７が、原稿読取部１１で読み取った又は受信した画像データを記憶することもできる。
【００２２】
表示情報変換部１８は、表示部１３ａに表示する情報を、表示条件に従って適切な文字列や画像に変換するブロックである。表示情報変換部１８は、表示情報の中から個人情報の有無を判断する個人情報判断部１８ａと、個人情報部分を特定の記号列又は文字列（「特定文字列」とも言う。）に変換する文字列変換部１８ｂとを有している。
【００２３】
図３は、第１の実施形態における送信先情報Ａ１１の一例を示す図である。画像処理装置１が、ネットワークに接続されているＰＣ又はサーバ又は多機能装置へアクセスする場合、コンピュータ名及び／又はＩＰアドレスなどのようなアクセス制限情報が用いられる。ＩＰアドレスは、特定の端末を示す情報であるから、個人情報に属する。コンピュータ名は、ＤＮＳ（Ｄｏｍａｉｎ  Ｎａｍｅ  Ｓｙｓｔｅｍ）サーバによってＩＰアドレスに対応付けられる情報であるから、個人情報に属する。記憶部１７に登録されているデータの送信先情報Ａ１１は、例えば、コンピュータ名情報及びＩＰアドレス情報などを含む。コンピュータ名情報は、先頭の２個の記号「￥￥」の後の文字から、次の１個の記号「￥」の前の文字までに記述された情報であり、文字列「ＰＣ１２３４」が該当する。ＩＰアドレス情報も、先頭の２個の記号「￥￥」の後の文字から次の記号「￥」の前の文字までであり、文字列「１９２．１６８．０．１」が該当する。これらの文字列を個人情報と判断し、該当する文字列を同一文字数の特定文字列に置き換えて表示する。図３の例では、コンピュータ名情報の文字列「ＰＣ１２３４」を「＊＊＊＊＊＊」に置き換え、ＩＰアドレス情報の文字列「１９２．１６８．０．１」を「＊＊＊＊＊＊＊＊＊＊＊」に置き換えて、画面表示情報Ａ１２として記憶部１７に記憶する。
【００２４】
図４（ａ）〜（ｄ）は、第１の実施形態における操作パネル部１３の表示例を示す図である。操作パネル部１３には、登録されている送信先情報Ａ１１が、画面表示情報Ａ１２に記憶されている文字列を用いて、図４（ａ）のように、送信先リスト画面１１０のように表示される。例えば、送信先番号「００１」に登録されている送信先を編集する場合には、該当する送信先情報ボタン１１１の押下により、図４（ｂ）に示されるアドレス編集画面１２０が表示される。アドレス編集画面１２０では、登録されている文字列の最後尾に編集用カーソルが表示され、特定文字列に置き換えられているコンピュータ名情報を編集する場合には、図４（ｃ）のアドレス編集画面１３０のように、矢印ボタンの押下により文字列「￥￥」の後ろまでカーソルを移動する。その後、削除ボタンの押下により、図４（ｄ）に示されるアドレス編集画面１４０のように、特定文字列に置き換えられているコンピュータ名情報の全文字列を一括して削除する。本例では、コンピュータ名情報に該当する何れかの文字が削除される操作が行われることにより、コンピュータ名情報の全文字列を一括して削除しているが、コンピュータ名情報の全文字列の内のカーソル位置の１文字のみを削除して、置き換えられているその他の文字を残してもよい。
【００２５】
《１−２》第１の実施形態の動作
第１の実施形態においては、表示情報変換部１８は、表示部１３ａが送信先情報を表示するときに、送信先情報に基づく送信先文字列に置換対象文字列が含まれているか否かを判断し、置換対象文字列が含まれていると判断された場合に、置換対象文字列を予め決められた文字列に置き換えて生成された新たな送信先文字列を表示部１３ａに表示させる。また、表示情報変換部１８は、送信先情報を示す送信先文字列に置換対象文字列が含まれているか否かの判断の結果、置換対象文字列が含まれていないと判断された場合に、送信先文字列を表示部１３ａに表示させる。
【００２６】
置換対象文字列は、送信先文字列の中の送信先を特定する文字列（例えば、個人情報）の部分である。置換対象文字列は、例えば、送信先のコンピュータ名及びＩＰアドレスのうちの少なくとも一方を含む文字列である。置換対象文字列は、例えば、対を成す所定の文字の間（例えば、「￥」と「￥」との間）、対を成す所定の文字列の間（例えば、「￥￥」と「￥￥」との間）、及び所定の文字と所定の文字列との間（例えば、「￥￥」と「￥」との間）、のうちのいずれかに挟まれた文字列である。ただし、置換対象文字列の検出方法は、他の方法（例えば、予め記憶している文字列と一致するかどうか）であってもよい。
【００２７】
置換対象文字列は、送信先のコンピュータ名及びＩＰアドレスのうちの少なくとも一方を含む。表示情報変換部１８は、他の文字列の文字数を、置換対象文字列の文字数と同じにする。表示情報変換部１８は、予め決められた文字列の文字数を、置換対象文字列の文字数より少なく、又は、多くしてもよい。
【００２８】
表示情報変換部１８は、送信先文字列における、置換対象文字列以外の文字列は、表示部１３ａにそのまま表示する。
【００２９】
次に、フローチャートを用いて、動作を詳細に説明する。図５は、第１の実施形態における送信先情報の表示動作を詳細に示すフローチャートである。図５の動作は、登録されている送信先情報を確認、変更、又は削除するような指示が行われたときに実行される。表示情報変換部１８は、記憶されている送信先情報Ａ１１から一つの送信先情報を取り出し（ステップＳ１１）、個人情報判断部１８ａが送信先情報の中に個人情報に該当する文字列の有無を判断（ステップＳ１２）する。表示情報変換部１８は、例えば、「￥￥」文字列が先頭に定義されている場合には、個人情報に該当する文字列（置換対象文字列）が含まれていると判断する。表示情報変換部１８は、該当する文字列が含まれていない場合には、取り出した送信先情報の文字列を、表示部１３ａのパネルに表示（ステップＳ１５）する。表示情報変換部１８は、該当する文字列が含まれている場合には、個人情報判断部１８ａが個人情報に該当する文字列の文字数を算出（ステップＳ１３）し、算出した文字数分の文字列を文字列変換部１８ｂが特定文字列に置き換える（ステップＳ１４）。続いて、表示情報変換部１８は、文字列が置き換えられた送信先情報を、操作パネル部１３の表示部１３ａに表示（ステップＳ１５）する。その後、表示情報変換部１８は、表示情報変換部１８が操作パネル部１３へ表示する次の送信先情報の有無を判断（ステップＳ１６）し、存在する場合には送信先情報を取り出し（ステップＳ１１）、存在しない場合には処理を終了する。
【００３０】
《１−３》第１の実施形態の効果
第１の実施形態に係る画像処理装置１又は処理方法によれば、データの送信先として登録されている文字列内の個人情報に該当する文字列部分を特定文字列に置き換えることにより、他の利用者に個人情報が開示及び漏洩されることを防止することができるので、セキュリティ（機密性）が向上する。
【００３１】
また、第１の実施形態に係る画像処理装置１又は処理方法によれば、データの送信先として登録されている文字列内の個人情報に該当する文字列部分（置換対象文字列）の文字数と置き換えられた特定文字列の文字数とを同数とすることによって、送信先情報として登録されている文字数が把握でき、編集時における追加可能な文字数を知ることができることから、使い勝手が向上する。
【００３２】
《２》第２の実施形態
《２−１》第２の実施形態の構成
第２の実施形態では、送信先情報を表示する目的に応じて、置き換える特定文字列の文字数を切替える手段について説明する。図６は、第２の実施形態に係るデータ送信装置（第２の実施形態に係るデータ送信方法を実行することができる装置）としての画像処理装置２の構成を概略的に示すブロック図である。図６において、図２に示される構成と同一又は対応する構成には、同じ符号を付す。第２の実施形態に係る画像処理装置２は、表示情報変換部２８に、個人情報判断部２８ａ及び文字列変換部２８ｂに加えて、置き換え文字数判断部２８ｃを備えている点が、第１の実施形態に係る画像処理装置１と相違する。置き換え文字数判断部２８ｃは、個人情報判断部２８ａによって算出された個人情報に該当する文字数と、送信先を表示する目的に従って、置き換える特定文字列の文字数を判断する。第２の実施形態に係る画像処理装置２は、記憶部２７に記憶されている送信先情報Ａ２１と画面表示情報Ａ２２の内容の点が、第１の実施形態に係る画像処理装置１と相違する。第２の実施形態のその他の構成及び動作は、第１の実施形態の構成及び動作と同じである。
【００３３】
図７は、第２の実施形態における送信先情報Ａ２１の一例を示す図である。データの送信先情報Ａ２１を表示部１３ａに表示する目的は、登録内容を確認するための参照と、登録内容を変更するための編集とに大別することができる。送信先情報Ａ２１内のコンピュータ名情報やＩＰアドレス情報に該当する文字列（置換対象文字列）を特定文字列に置き換えるとき、表示目的が参照であれば、置き換えられる文字数より置き換える文字数を少なくし、表示目的が編集であれば、置き換えられる文字数と置き換える文字数を同一にする。本例では、コンピュータ名情報の文字列「ＰＣ１２３４」を、参照時には「＊＊」へ、編集時には「＊＊＊＊＊＊」へ置き換えている。ＩＰアドレス情報の「１９２．１６８．０．１」文字列も、参照時には「＊＊」へ、編集時には「＊＊＊＊＊＊＊＊＊＊＊」へ置き換えている。
【００３４】
《２−２》第２の実施形態の動作
図８（ａ）〜（ｄ）は、第２の実施形態における操作パネル部１３の表示例を示す図である。登録されている送信先情報Ａ１１は、画面表示情報Ａ１２に記憶されている文字列を用いて、図８（ａ）に示される送信先リスト画面２１０のように操作パネル部１３に表示する。この場面での表示目的は参照となり、特定文字列に置き換えられている文字数は２文字である。送信先番号「００２」に登録されている送信先を編集する場合には、該当する送信先情報ボタン２１１の押下により、図８（ｂ）に示されるアドレス編集画面２２０を表示する。この場面での表示目的は編集となり、特定文字列に置き換えられている文字数は、ＩＰアドレス情報の文字列と同じ１１文字である。アドレス編集画面では、登録されている文字列の最後尾に編集用カーソルを表示し、特定文字列に置き換えられているＩＰアドレス情報を編集する場合には、図８（ｃ）に示されるアドレス編集画面２３０のように、矢印ボタンの押下により「￥￥」文字の後ろまでカーソルを移動する。その後、削除ボタンの押下により、図８（ｄ）に示されるアドレス編集画面２４０のように、特定文字列に置き換えられているＩＰアドレス情報の全文字列を一括して削除する。本例では、コンピュータ名情報に該当する何れかの文字が削除される操作が行われることにより、全文字列を一括して削除しているが、カーソル位置の１文字のみを削除して、置き換えられているその他の文字を維持してもよい。
【００３５】
図９は、第２の実施形態における送信先リスト画面の表示動作を示すフローチャートである。表示情報変換部２８は、送信先リスト画面２１０を表示する操作が行なわれた場合、参照目的の全送信先情報を送信先リストとして表示するために、操作部１３ｂにより後述する図１０の送信先情報の表示制御を行う（ステップＳ２１）。続いて、表示情報変換部２８は、操作情報を取得（ステップＳ２２）して、操作が行なわれていない場合には再び操作情報の取得に遷移し、操作が行われた場合（ステップＳ２３）には操作内容を判断する。表示情報変換部２８は、送信先リスト表示の終了操作が行なわれた場合（ステップＳ２４）には、本制御を終了する。何れかの送信先情報ボタンの押下による送信先情報の編集操作が行われた場合（ステップＳ２５）には、表示情報変換部２８は、送信先表示領域は空白のまま、該当する送信先のアドレス編集画面２５２を表示（ステップＳ２６）させる。その後、表示情報変換部２８は、送信先表示領域に編集目的の該当送信先情報を表示するために、後述する図１０の送信先情報の表示制御を行う（ステップＳ２７）。表示情報変換部２８は、他の操作が行なわれた場合には、操作に従った処理を行う（ステップＳ２８）。
【００３６】
次に、フローチャートを用いて、動作を詳細に説明する。図１０は、第２の実施形態における送信先情報の表示動作を示すフローチャートである。表示情報変換部２８は、記憶されている送信先情報Ａ２１から一つの送信先情報を取り出し（ステップＳ３１）、個人情報判断部２８ａが送信先情報中の個人情報に該当する文字列（置換対象文字列）の有無を判断（ステップＳ３２）する。表示情報変換部２８は、該当する文字列が含まれていない場合には、取り出した送信先情報の文字列を、表示部１３ａのパネルに表示（ステップＳ３７）する。表示情報変換部２８は、該当する文字列が含まれている場合には、個人情報判断部２８ａが個人情報に該当する文字列の文字数を算出（ステップＳ３３）し、置き換え文字数判断部２８ｃが表示を行う目的を判断（ステップＳ３４）する。表示情報変換部２８は、表示目的が参照の場合（ステップＳ３４）には、置き換えられる文字数より置き換える文字数を少なくするため、文字列変換部２８ｂが、算出した文字数分の文字列を、算出した文字数より少ない文字数の特定文字列に置き換える（ステップＳ３５）。表示情報変換部２８は、表示目的が参照ではない場合（ステップＳ３４）には、文字列変換部２８ｂが算出した文字数分の文字列を特定文字列に置き換える（ステップＳ３６）。続いて、文字列が置き換えられた送信先情報を、表示部１３ａのパネルに表示（ステップＳ３７）する。その後、表示情報変換部２８が表示部１３ａに表示する次の送信先情報の有無を判断（ステップＳ３８）し、存在する場合には送信先情報を取り出し（ステップＳ３１）、存在しない場合には本制御を終了する。
【００３７】
《２−３》第２の実施形態の効果
第２の実施形態に係る画像処理装置２又は処理方法によれば、データの送信先として登録されている文字列内の個人情報に該当する文字列部分を特定文字列に置き換えることにより、他の利用者に個人情報が開示及び漏洩を防止することができるので、セキュリティ（機密性）が向上する。
【００３８】
また、第２の実施形態に係る画像処理装置２又は処理方法によれば、送信先文字列内の個人情報に該当する文字列部分を特定文字列に置き換えるときに、送信先の表示目的に応じて置き換え文字数を切り替えることにより、編集時における操作性を維持したまま、表示可能領域に多くの情報を表示することができ、限られた表示領域の有効利用が図れる。
【００３９】
《３》第３の実施形態
図１１は、第１及び第２の実施形態に係る画像処理装置１及び２の一部をコンピュータプログラムで実現する場合の構成を概略的に示す構成図である。図１１に示されるホストＰＣは、ＣＰＵを含むプロセッサ１０１、入出力インタフェース（Ｉ／Ｆ）１０２、記録媒体読取部１０３、ＲＡＭ（ｒａｎｄｏｍ  ａｃｃｅｓｓ  ｍｅｍｏｒｙ）１０４、不揮発性メモリ１０５、ハードディスクドライブ（ＨＤＤ）１０６、及びバス１０７を備えている。記録媒体読取部１０３によって読み取られる記録媒体としては、磁気ディスク、光ディスク、又はフラッシュメモリ等がある、第１及び第２の実施形態に係る処理方法を画像処理装置１及び２に実行可能にするプログラムが、入出力インタフェース（Ｉ／Ｆ）１０２を経由してダウンロードされ、又は、記録媒体１０８から記録媒体読取部１０３によって読み込まれ、例えば、ＨＤＤ１０６にインストールされる。プロセッサ１０１は、不揮発性メモリ１０５又はＨＤＤ１０６からコンピュータプログラムをロードし、実行することによって、第１又は第２の実施形態に係るデータ生成方法を実行することができる。
【００４０】
なお、上記各実施形態において、所定個数の「＊」の列を表示させる例を示したが、「＊」の代わりに、「Ｘ」などのような文字や記号を所定個数並べて表示してもよい。
【符号の説明】
【００４１】
１，２  画像処理装置（データ送信装置）、  １０  バス、  １１  原稿読取部（原稿読取ユニット）、  １２  印刷部（画像形成ユニット）、  １３  操作パネル部（操作ユニット）、  １３ａ  表示部、  １３ｂ  操作部、  １４  通信部（通信ユニット）、  １５  装置管理部、  １６  画像処理部、  １７，２７  記憶部、  １８，２８  表示情報変換部、  １８ａ，２８ａ  個人情報判断部、  １８ｂ，２８ｂ  文字列変換部、  ２９ｃ  置き換え文字数判断部。
【図１】
0005439414.tif 000002
【図２】
0005439414.tif 000003
【図３】
0005439414.tif 000004
【図４】
0005439414.tif 000005
【図５】
0005439414.tif 000006
【図６】
0005439414.tif 000007
【図７】
0005439414.tif 000008
【図８】
0005439414.tif 000009
【図９】
0005439414.tif 000010
【図１０】
0005439414.tif 000011
【図１１】
0005439414.tif 000012